(57)【要約】【課題】汚物等の排出能力が高く、漏水のリスクが少ない水洗式便器を提供する。【解決手段】水洗式便器は、便鉢部１０と、この便鉢部１０の下部に流入口２１を有し、上方に延びており、流入口２１より上方に開口した開口部２２を有する陶器製の管部２０と、この管部２０に挿入して便鉢部１０から流れる洗浄水が内部を通過し、内部形状が精度良く形成することができる排水接続管３０とを備えている。【選択図】図１
2014062370.tif 000002
【特許請求の範囲】
【請求項１】
便鉢部と、
この便鉢部の下部に流入口を有し、上方に延びており、前記流入口より上方に開口した開口部を有する陶器製の管部と、
この管部に挿入して前記便鉢部から流れる洗浄水が内部を通過し、内部形状が精度良く形成することができる排水接続管とを備えていることを特徴とする水洗式便器。
【請求項２】
前記管部は前記流入口の上端部と前記開口部の下端部との鉛直距離が５０ｍｍ以上、かつ１００ｍｍ以下であることを特徴とする請求項１記載の水洗式便器。
【請求項３】
前記排水接続管は上流端が封水部のディップまで延びていることを特徴とする請求項１又は２記載の水洗式便器。
【発明の詳細な説明】
【技術分野】
【０００１】
本発明は水洗式便器に関する。
【背景技術】
【０００２】
特許文献１の第５図に従来の水洗式便器が開示されている。この水洗式便器は便鉢部と、便鉢部の下部に流入口を有し、水平方向に延びて開口した開口部を有する管部と、開口部に挿入して便鉢部から流れる洗浄水が内部を通過する排水接続管とを備えている。排水接続管は、略逆Ｕ字状であり、両端が水平方向に拡がるように延びている。排水接続管は、一方の端部が水洗式便器の管部の開口部に挿入され、他方の端部がトイレ室内に水平方向に引き出された排水管に接続されている。また、排水接続管は両端部を軸として回動することができる。
【０００３】
この水洗式便器は、便鉢部に洗浄水を貯留する際、排水接続管を起立状態にして便鉢部内の水位を高くし、排便後に排水接続管を倒伏状態にすることによって、汚物等の排出を円滑に行うことができる。
【先行技術文献】
【特許文献】
【０００４】
【特許文献１】特開平１−２７８６３３号公報
【発明の概要】
【発明が解決しようとする課題】
【０００５】
しかし、上記した従来の水洗式便器は、排水接続管の一方の端部を挿入している開口部が便鉢部の下部の流入口から水平方向に延びて開口しているため、排水接続管が劣化等によって破損すると、水封を形成している洗浄水の多くが漏水し、破封するおそれがある。仮に、排水接続管が易燃性である樹脂製であった場合、排水管側からの延焼火災によって排水接続管が焼失すると、破封し、便鉢部から火炎が噴き出して延焼を拡げるおそれがある。また、この水洗式便器は、水封を形成している部分で管部と排水接続管とを連結しており、かつ排水接続管が管部に対して回動するため、管部と排水接続管との連結部の漏水対策を厳重にしなければならない。さらに、この水洗式便器は、排水接続管を起立状態から倒伏状態にすることによって汚物等の排出を円滑に行うものであり、起立状態において排水接続管内の洗浄水の流れを円滑にして汚物等の排出能力を向上させるものではない。
【０００６】
本発明は、上記従来の実情に鑑みてなされたものであって、汚物等の排出能力が高く、漏水のリスクが少ない水洗式便器を提供することを解決すべき課題としている。
【課題を解決するための手段】
【０００７】
本発明の水洗式便器は、便鉢部と、
この便鉢部の下部に流入口を有し、上方に延びており、前記流入口より上方に開口した開口部を有する陶器製の管部と、
この管部に挿入して前記便鉢部から流れる洗浄水が内部を通過し、内部形状が精度良く形成することができる排水接続管とを備えていることを特徴とする。
【０００８】
この水洗式便器は、陶器製の管部の開口部が流入口より上方に開口しているため、排水接続管が破損しても流入口の上端部よりも水位が低下せず、破封することを確実に防止することができる。このため、排水接続管を易燃性である樹脂製にしても、延焼を防止することができる。また、この水洗式便器は、排水接続管が破損した際に漏水する洗浄水の水量を少なくすることができる。さらに、この水洗式便器は、陶器に比べてバラツキがなく、内部形状を精度良く形成することができる樹脂や金属によって排水接続管を形成することによって、排水接続管内を洗浄水が円滑に流れるようにすることができる。このため、この水洗式便器は、便鉢部の下部の流入口から排水接続管の内部に流入した洗浄水が円滑に流れて汚物等を良好に排出することができる。
【０００９】
したがって、本発明の水洗式便器は汚物等の排出能力が高く、漏水のリスクが少ない。
【図面の簡単な説明】
【００１０】
【図１】実施例１の水洗式便器を示す断面図である。
【図２】実施例１の便鉢部と管部とによって形成する封水深を説明する断面図である。
【図３】実施例２の水洗式便器の断面図である。
【図４】実施例３の水洗式便器の断面図である。
【図５】実施例４の水洗式便器の断面図である。
【図６】実施例５の水洗式便器の断面図である。
【発明を実施するための形態】
【００１１】
本発明における好ましい実施の形態を説明する。
【００１２】
前記管部は前記流入口の上端部と前記開口部の下端部との鉛直距離が５０ｍｍ以上、かつ１００ｍｍ以下であり得る。この場合、便鉢部と管部とによって、封水に充分な封水深を形成することができる。このため、この水洗式便器は排水接続管が破損しても破封を確実に防止することができる。また、管部の開口部の下端部を封水面より僅かに下方に位置させることができるため、排水接続管が破損しても管部の開口部から漏水し得る洗浄水を極めて少なくすることができる。さらに、管部と排水接続管との漏水対策は簡易なものにすることができる。
【００１３】
前記排水接続管は上流端が封水部のディップまで延び得る。この場合、この水洗式便器は、便鉢部の下部の流入口より下流側において、排水接続管内を洗浄水が流れることになる。排水接続管は、洗浄水が円滑に流れるように内部形状を精度良く形成することができるため、便鉢部の下部の流入口より下流側の洗浄水の流れを円滑にすることができる。このため、この水洗式便器は汚物等の排出能力が高い。
【００１４】
次に、本発明の便器洗浄装置を備えた水洗式便器を具体化した実施例１〜５について、図面を参照しつつ説明する。
【００１５】
＜実施例１＞
実施例１の水洗式便器は、図１に示すように、便鉢部１０と、この便鉢部１０に一体に形成した管部２０と、管部２０に挿入した排水接続管３０とを備えている。便鉢部１０と管部２０は陶器製である。管部２０は、便鉢部１０の下部の後方（図１において右方向）に開口した流入口２１を有し、後方に向けて斜め上方に延びており、流入口２１より上方に開口した開口部２２を有している。管部２０は、流入口２１に近い部分に外側に拡がる鍔部２３を有し、鍔部２３より上方側の形状が一回り大きく形成されている。
【００１６】
管部２０は、図２に示すように、流入口２１の上端部（封水部のディップ）Ｘと開口部２２の下端部Ｙとの鉛直距離Ｄが５０ｍｍ以上、かつ１００ｍｍ以下である。このように、この水洗式便器は、便鉢部１０と管部２０とによって、封水に充分な封水深（５０ｍｍ以上、かつ１００ｍｍ以下）を形成することができる。このため、この水洗式便器は、排水接続管３０が破損しても、破封を確実に防止することができる。
【００１７】
排水接続管３０は内部形状を精度よく形成することができる樹脂製である。この排水接続管３０は、図１に示すように、管部２０の開口部２２から管部２０内に挿入されており、上流端が管部２０の鍔部２３に当接している。排水接続管３０は内面が管部２０の流入口２１近傍（鍔部２３より流入口２１側）の内面に連続するように形成されている。また、排水接続管３０は内部を洗浄水が円滑に流れるように内部形状を形成している。排水接続管３０は、管部２０の開口部２２から延出した部分まで斜め上方に傾斜した上昇流路３１と、開口部２２から延出した部分で下端面が鋭角に屈曲し、上端面が湾曲して鉛直下方に延びた下降流路３２とを有している。
【００１８】
この水洗式便器は管部２０の開口部２２の内面と排水接続管３０の外面との間に環状のシール部材４０を挟持している。これによって、便鉢部１０に洗浄水を供給して便器洗浄を実行する際、管部２０と排水接続管３０との間から洗浄水等が漏水することを防止している。
【００１９】
このような構成を有する水洗式便器は、陶器製の管部２０の開口部２２が流入口２１より上方に開口している（流入口２１の上端部Ｘと開口部２２の下端部Ｙとの鉛直距離Ｄが５０ｍｍ以上、かつ１００ｍｍ以下である）ため、排水接続管３０が破損しても流入口２１の上端部Ｘよりも水位が低下せず、破封することを確実に防止することができる。このため、排水接続管３０が易燃性である樹脂製であっても、延焼を防止することができる。また、この水洗式便器は、管部２０の開口部２２の下端部Ｙが封水面Ｚより僅かに下方に位置しているため、排水接続管３０が破損しても管部２０の開口部２２から漏水し得る洗浄水を極めて少なくすることができる。また、管部２０と排水接続管３０との漏水対策は簡易なものにすることができる。
【００２０】
さらに、この水洗式便器は、陶器に比べてバラツキがなく、内部形状を精度良く形成することができる樹脂によって排水接続管３０を形成しているため、排水接続管３０内を洗浄水が円滑に流れることができる。このため、この水洗式便器は、便鉢部１０の下部の流入口２１から排水接続管３０の内部に流入した洗浄水が円滑に流れて汚物等を良好に排出することができる。
【００２１】
したがって、実施例１の水洗式便器は汚物等の排出能力が高く、漏水のリスクが少ない。
【００２２】
＜実施例２＞
実施例２の水洗式便器は、図３に示すように、排水接続管５０が管部２０の開口部２２から延出して水平後方に延びており、管部２０の内面と排水接続管５０の外面との間の２か所に環状のシール部材４０を挟持している点で実施例１と相違する。他の構成は実施例１と同様であり、同一の構成は同一の符号を付し、詳細な説明を省略する。
【００２３】
排水接続管５０は、内部形状を精度よく形成することができる樹脂製であり、内部を洗浄水が円滑に流れるように内部形状を形成している。管部２０の内面と排水接続管５０の外面との間の２か所（管部２０の開口部２２の内面と排水接続管５０の外面との間、及び排水接続管５０の上流端の外面と管部２０の内面との間）にシール部材４０を挟持しているため、水洗式便器に洗浄水を供給して便器洗浄を実行する際、管部２０と排水接続管５０との間から洗浄水等が漏水することを確実に防止している。
【００２４】
この水洗式便器も、陶器製の管部２０の開口部２２が流入口２１より上方に開口している（流入口２１の上端部Ｘと開口部２２の下端部Ｙとの鉛直距離Ｄが５０ｍｍ以上、かつ１００ｍｍ以下である）ため、排水接続管５０が破損しても流入口２１の上端部Ｘよりも水位が低下せず、破封することを確実に防止することができる。このため、排水接続管５０が易燃性である樹脂製であっても、延焼を防止することができる。また、この水洗式便器も、管部２０の開口部２２の下端部Ｙが封水面より僅かに下方に位置しているため、排水接続管５０が破損しても管部２０の開口部２２から漏水し得る洗浄水を極めて少なくすることができる。
【００２５】
さらに、この水洗式便器も、陶器に比べてバラツキがなく、内部形状を精度良く形成することができる樹脂によって排水接続管５０を形成しているため、排水接続管５０内を洗浄水が円滑に流れることができる。このため、この水洗式便器は、便鉢部１０の下部の流入口２１から排水接続管５０の内部に流入した洗浄水が円滑に流れて汚物等を良好に排出することができる。
【００２６】
したがって、実施例２の水洗式便器も汚物等の排出能力が高く、漏水のリスクが少ない。
【００２７】
＜実施例３＞
実施例３の水洗式便器は、図４に示すように、排水接続管６０の上流端が封水部のディップ（流入口７１の上端部）Ｘまで延びており、管部７０の形状が流入口７１から開口部７２まで略同じ形状で形成されている点で実施例１と相違する。他の構成は実施例１と同様であり、同一の構成は同一の符号を付し、詳細な説明を省略する。
【００２８】
この水洗式便器は、便鉢部１０に一体に形成された陶器製の管部７０が、便鉢部１０の下部の後方（図４において右方向）に開口した流入口７１を有し、後方に向けて斜め上方に延びており、流入口７１より上方に開口した開口部７２を有している。流入口７１の上端部Ｘが封水部のディップを形成している。流入口７１の上端部Ｘと開口部７２の下端部Ｙとの鉛直距離が５０ｍｍ以上、かつ１００ｍｍ以下である。このように、この水洗式便器は、便鉢部１０と管部７０とによって、封水に充分な封水深（５０ｍｍ以上、かつ１００ｍｍ以下）を形成している。このため、この水洗式便器は、排水接続管６０が破損しても、破封を確実に防止することができる。
【００２９】
排水接続管６０は、内部形状を精度よく形成することができる樹脂製である。この排水接続管６０は、管部７０の開口部７２から管部７０内に挿入されており、上端部６１が封水部のディップ（Ｘ）まで延びており、下端部６２が流入口７１より前方の便鉢部１０の下端部まで延びている。また、排水接続管６０は、内部を洗浄水が円滑に流れるように内部形状を形成している。排水接続管６０は、管部７０の開口部７２から延出した部分まで斜め上方に傾斜した上昇流路６３と、開口部７２から延出した部分で下端面が鋭角に屈曲し、上端面が湾曲して鉛直下方に延びた下降流路６４とを有している。
【００３０】
この水洗式便器は管部７０の開口部７２の内面と排水接続管６０の外面との間にシール部材４０を挟持している。これによって、便鉢部１０に洗浄水を供給して便器洗浄を実行する際、管部７０と排水接続部６０との間から洗浄水等が漏水することを防止している。
【００３１】
このような構成を有する水洗式便器は、便鉢部１０の下部から下流側において、排水接続管６０内を洗浄水が流れることになる。陶器に比べてバラツキがなく、内部形状を精度良く形成することができる樹脂によって排水接続管６０を形成しているため、排水接続管６０内を洗浄水が円滑に流れることができる。このため、この水洗式便器は、便鉢部１０の下部から排水接続管６０の内部に流入した洗浄水が円滑に流れて汚物等を良好に排出することができる。
【００３２】
また、この水洗式便器も、流入口７１の上端部Ｘと開口部７２の下端部Ｙとの鉛直距離が５０ｍｍ以上、かつ１００ｍｍ以下に形成されている。このように、この水洗式便器は、便鉢部１０と管部７０とによって、封水に充分な封水深（５０ｍｍ以上、かつ１００ｍｍ以下）を形成している。このため、この水洗式便器は、排水接続管６０が破損しても流入口７１の上端部Ｘよりも水位が低下せず、破封することを確実に防止することができる。よって、排水接続管６０が易燃性である樹脂製であっても、延焼を防止することができる。また、この水洗式便器は、管部７０の開口部７２の下端部Ｙが封水面Ｚより僅かに下方に位置しているため、排水接続管６０が破損しても管部７０の開口部７２から漏水し得る洗浄水を極めて少なくすることができる。また、管部７０と排水接続管６０との漏水対策は簡易なものにすることができる。
【００３３】
したがって、実施例３の水洗式便器も汚物等の排出能力が高く、漏水のリスクが少ない。
【００３４】
＜実施例４＞
実施例４の水洗式便器は、図５に示すように、管部８０が湾曲しており、この管部８０に沿って排水接続管９０が挿入されている点で実施例１と相違する。他の構成は実施例１と同様であり、同一の構成は同一の符号を付し、詳細な説明を省略する。
【００３５】
この水洗式便器は、便鉢部１０に一体に形成された陶器製の管部８０が、便鉢部１０の下部の後方（図５において右方向）に開口した流入口８１を有し、後方に向けて略Ｓ字状に上方に湾曲して延びており、流入口８１より上方に開口した開口部８２を有している。流入口８１の上端部Ｘと開口部８２の下端部Ｙとの鉛直距離が５０ｍｍ以上、かつ１００ｍｍ以下に形成されている。このように、この水洗式便器は、便鉢部１０と管部８０とによって、封水に充分な封水深（５０ｍｍ以上、かつ１００ｍｍ以下）を形成している。このため、この水洗式便器は、排水接続管９０が破損しても、破封を確実に防止することができる。
【００３６】
排水接続管９０は、可撓性を有し、内部形状を精度良く形成することができる樹脂製である。この排水接続管９０は、開口部８２から管部８０内に挿入されている。この際、排水接続管９０は可撓性を有しているため、管部８０の湾曲に沿って挿入される。また、排水接続管９０は、内部を洗浄水が円滑に流れるように内部形状を形成している。排水接続管９０は、管部８０の開口部８２から延出した部分まで略Ｓ字状に湾曲して上方に延びた上昇流路９１と、開口部８２から延出した部分で湾曲して鉛直下方に延びた下降流路９２とを有している。
【００３７】
この水洗式便器は管部８０の開口部８２の内面と排水接続管９０の外面との間にシール部材４０を挟持している。これによって、便鉢部１０に洗浄水を供給して便器洗浄を実行する際、管部８０と排水接続管９０との間から洗浄水等が漏水することを防止している。
【００３８】
このような構成を有する水洗式便器は、陶器製の管部８０の開口部８２が流入口８１より上方に開口している（流入口８１の上端部Ｘと開口部８２の下端部Ｙとの鉛直距離Ｄが５０ｍｍ以上、かつ１００ｍｍ以下である）ため、排水接続管９０が破損しても流入口８１の上端部Ｘよりも水位が低下せず、破封することを確実に防止することができる。このため、排水接続管９０が易燃性である樹脂製であっても、延焼を防止することができる。また、この水洗式便器は、管部８０の開口部８２の下端部Ｙが封水面Ｚより僅かに下方に位置しているため、排水接続管９０が破損しても管部８０の開口部８２から漏水し得る洗浄水を極めて少なくすることができる。また、管部８０と排水接続管９０との漏水対策は簡易なものにすることができる。
【００３９】
さらに、この水洗式便器は、陶器に比べてバラツキがなく、内部形状を精度良く形成することができる樹脂によって排水接続管９０を形成しているため、排水接続管９０内を洗浄水が円滑に流れることができる。このため、この水洗式便器は、便鉢部１０の下部の流入口８１から排水接続管９０の内部に流入した洗浄水が円滑に流れて汚物等を良好に排出することができる。
【００４０】
したがって、実施例４の水洗式便器も汚物等の排出能力が高く、漏水のリスクが少ない。
【００４１】
＜実施例５＞
実施例５の水洗式便器は、図６に示すように、排水接続管１００が非可撓性であるため、管部８０の中間部まで挿入している点で実施例４と相違する。他の構成は実施例４と同様であり、同一の構成は同一の符号を付し、詳細な説明を省略する。
【００４２】
排水接続管１００は、内部形状を精度よく形成することができる樹脂製である。この排水接続管１００は開口部８２から管部８０内に挿入されている。排水接続管１００は非可撓性であるため、開口部８２から管部８０内に容易に挿入することができる。排水接続管１００は管部８０の中間部より下流側であって上方に延びた上昇流路１０１と、開口部から演出した部分で湾曲して鉛直下方に延びた下降流路１０２とを有している。
【００４３】
このように、この水洗式便器は、陶器に比べてバラツキがなく、内部形状を精度よく形成することができる樹脂によって形成した排水接続管１００によって、管部８０の中間部より下流側を形成している。このため、洗浄水が上昇流から下降流へ急激に流れを変化する部位において、排水接続管１００内を円滑に流れることができる。よって、この水洗式便器は、便鉢部１０の下部の流入口８１から排水接続管９０の内部に流入した洗浄水が円滑に流れて汚物等を良好に排出することができる。
【００４４】
したがって、実施例５の水洗式便器も汚物等の排出能力が高く、漏水のリスクが少ない。
【００４５】
本発明は上記記述及び図面によって説明した実施例に限定されるものではなく、例えば次のような実施例も本発明の技術的範囲に含まれる。
（１）実施例１〜５では、排水接続管を樹脂製にしたが、金属等、排水接続管の内部形状が精度良く形成することができる材質であればよい。
（２）実施例１〜５では、管部の流入口の上端部と開口部の下端部との鉛直距離が５０ｍｍ以上、かつ１００ｍｍ以下にしたが、５０ｍｍ未満であってもよい。この場合、開口部から延出した排水接続管が上方に延びて５０ｍｍ以上、かつ１００ｍｍ以下の封水深を形成するようにすればよい。
【符号の説明】
【００４６】
１０…便鉢部
２０、７０、８０…管部
２１、７１、８１…流入口
２２、７２、８２…開口部
３０、５０、６０、９０…排水接続管
Ｘ…（流入口の）上端部（封水部のディップ）
Ｙ…（開口部の）下端部
【図１】
2014062370.tif 000003
【図２】
2014062370.tif 000004
【図３】
2014062370.tif 000005
【図４】
2014062370.tif 000006
【図５】
2014062370.tif 000007
【図６】
2014062370.tif 000008